(57)【特許請求の範囲】
【請求項１】
便座本体を有するトイレ装置と、このトイレ装置と通信可能に接続されたセンタ装置とを具備する情報収集方法であって、
前記トイレ装置が、使用者に応じた便座本体の形態を算出するためのデータ入力を受け付ける形態情報受付ステップと、
前記データに基づき使用者に応じた便座本体の寸法を算出する最適形態算出ステップと、前記データ及び前記便座本体の寸法を形態情報として、通信回線を介してセンタ装置に送信する形態情報送信ステップとを具備し、
前記センタ装置が、トイレ装置から送信された形態情報を受信する形態情報受信ステップと、
前記形態情報受信ステップにより受信した形態情報を蓄積する形態情報蓄積ステップと備えたことを特徴とする情報収集方法。
【請求項２】
形態情報が、着座者がショールーム等で便座本体を体験使用して判断した便座本体の形態に関する嗜好情報を含むことを特徴とする請求項１記載の情報収集方法。
【請求項３】
トイレ装置が、使用者が便座本体に着座した際の体圧分布を測定する体圧分布測定ステップと、
トイレ装置またはセンタ装置が、前記体圧分布情報に基づいて使用者に応じた便座本体の寸法を算出する算出ステップとを具備することを特徴とする請求項１または２記載の情報収集方法。
【請求項４】
形態情報を送信した使用者に関する使用者情報を、トイレ装置に関するメンテナンスサービス等のサービスを提供する事業者等に対して間接的または直接的に出力する使用者情報出力ステップを有することを特徴とする請求項１乃至３記載の情報収集方法。
【請求項５】
便座本体を有するトイレ装置と、このトイレ装置と通信可能に接続されたセンタ装置とを具備する情報収集システムであって、
前記トイレ装置が、使用者に応じた便座本体の形態を算出するためのデータ入力を受け
付ける形態情報受付手段と、
前記データに基づき使用者に応じた便座本体の寸法を算出する最適形態算出手段と、
前記データ及び前記便座本体の寸法を形態情報として、通信回線を介してセンタ装置に送信する形態情報送信手段とを具備し、
前記センタ装置が、トイレ装置から送信された形態情報を受信する形態情報受信手段と、前記形態情報受信手段により受信した形態情報を蓄積する形態情報蓄積手段とを備えたことを特徴とする情報収集システム。
【請求項６】
形態情報が、着座者がショールーム等で便座本体を体験使用して判断した便座本体の形態に関する嗜好情報を含むことを特徴とする請求項５記載の情報収集システム。
【請求項７】
トイレ装置が、使用者が便座本体に着座した時の体圧分布を測定する体圧分布測定手段と、
トイレ装置またはセンタ装置が、前記体圧分布情報に基づいて使用者に応じた便座本体の寸法を算出する算出手段とを具備することを特徴とする請求項５または６記載の情報収集システム。
【請求項８】
形態情報を送信した使用者に関する使用者情報を、トイレ装置に関するメンテナンスサービス等のサービスを提供する事業者等に対して間接的または直接的に出力する使用者情報出力手段を有することを特徴とする請求項５乃至７記載の情報収集システム。
【請求項９】
センタ装置と通信可能に接続されたトイレ装置であって、
前記トイレ装置が、使用者に応じた便座本体の形態を算出するためのデータ入力を受け付ける形態情報受付手段と、
前記データに基づき使用者に応じた便座本体の寸法を算出する最適形態算出手段と、
前記データ及び前記便座本体の寸法を形態情報として、通信回線を介してセンタ装置に送信する形態情報送信手段とを具備することを特徴とするトイレ装置。
【請求項１０】
形態情報が、着座者がショールーム等で便座本体を体験使用して判断した便座本体の形態に関する嗜好情報を含むことを特徴とする請求項９記載のトイレ装置。
【請求項１１】
トイレ装置が、使用者が便座本体に着座した際の体圧分布を測定する体圧分布測定手段と、
前記体圧分布情報に基づいて使用者に応じた便座本体の寸法を算出する算出手段とを具備することを特徴とする請求項９または１０記載のトイレ装置。
【請求項１２】
便座本体を有するトイレ装置と通信可能に接続されたセンタ装置であって、
前記センタ装置が、トイレ装置から送信された使用者に応じた便座本体の形態を算出するためのデータと、前記データに基づき算出された使用者に応じた便座本体の寸法とを形態情報として受信する形態情報受信手段と、
前記形態情報受信手段により受信した形態情報を蓄積する形態情報蓄積手段とを備えたことを特徴とするセンタ装置。
【請求項１３】
形態情報を送信した使用者に関する使用者情報を、トイレ装置に関するメンテナンスサービス等のサービスを提供する事業者等に対して間接的または直接的に出力する使用者情報出力手段を有することを特徴とする請求項１２記載のセンタ装置。
【請求項１４】
請求項９〜１１のいずれか１項記載のトイレ装置の手段の全てもしくは一部としてコンピュータを機能させるためのプログラム。
【請求項１５】
請求項１２または１３のいずれか１項記載のセンタ装置の手段の全てもしくは一部としてコンピュータを機能させるためのプログラム。
【請求項１６】
請求項９〜１１のいずれか１項記載のトイレ装置の手段の全てもしくは一部としてコンピュータを機能させるためのプログラムを記録したコンピュータ読み取り可能な記録媒体。
【請求項１７】
請求項１２または１３のいずれか１項記載のトイレ装置の手段の全て
もしくは一部としてコンピュータを機能させるためのプログラムを記録したコンピュータ読み取り可能な記録媒体。
【発明の詳細な説明】
【０００１】
【発明の属する技術分野】
本発明は、便座本体を有するトイレ装置に関するものである。
【０００２】
【従来の技術】
近年、顧客の多様化するニーズに答えるべく、便器の上に設置される便座本体についても、多種多様な形態を有するものが発売されている。そして、使用者は、例えば、便座本体を有する温水洗浄便座などを購入する際、数ある既成の便座本体の中からカタログなどを見て自分の好みや体型に応じた便座本体を選んでいた。
【０００３】
【発明が解決しようとする課題】
しかし、便座本体の形態に着目して購入しようとしても、便座本体の幅や、沈み込み具合など様々な形態要素を考慮した商品が数多く出されているため、その中から使用者が本当に自分の体型や好みに合致した便座本体を選択することは困難である。しかも、その中から苦労して選択したとしても、購入後に使用を開始してから便座本体の形態が気に入らない場合も大いにあり得る。そしてその際には、新しいものに買い換えざるを得なかった。
【０００４】
【課題を解決するための手段】
そこで、本発明は上記課題に着目してなされたものであり、便座本体を有するトイレ装置と、このトイレ装置と通信可能に接続されたセンタ装置とを具備する情報収集方法であって、前記トイレ装置が、使用者に応じた便座本体の形態を算出するためのデータ入力を受け付ける形態情報受付ステップと、前記データに基づき使用者に応じた便座本体の寸法を算出する最適形態算出ステップと、前記データ及び前記便座本体の寸法を形態情報として、通信回線を介してセンタ装置に送信する形態情報送信ステップとを具備し、前記センタ装置が、トイレ装置から送信された形態情報を受信する形態情報受信ステップと、前記形態情報受信ステップにより受信した形態情報を蓄積する形態情報蓄積ステップとを備えたことを特徴とする。
【０００５】
これにより、使用者に応じた便座本体を購入前に的確に判断することができ、使用者は当初より最適な便座本体を購入することができる。更に、使用者に応じた便座本体の形態情報を集約することができるため、使用者に応じた形態を有する新製品の開発も容易になる。
【０００６】
また、形態情報に着座者がショールーム等で便座本体を体験使用して判断した便座本体の形態に関する嗜好情報を含むことにより、より最適な形態を有する便座本体を提供することができる。
【０００７】
更に、トイレ装置が、使用者が便座本体に着座した際の体圧分布を測定する体圧分布測定ステップと、前記体圧分布情報に基づいて形態情報を算出する算出ステップとを具備することで、自動的に最適な便座本体に関する形態情報を入手できる。
【０００８】
加えて、使用者が、形態情報を送信する代わりにメンテナンスサービス等を受けられるなどの付加価値を付けることで、使用者が形態情報を送信するモチベーションを高めるため、形態情報を送信した使用者に関する使用者情報を、トイレ装置に関するメンテナンスサービス等のサービスを提供する事業者等に対して間接的または直接的に出力する使用者情報出力ステップを有することが望ましい。
【０００９】
【発明の実施の形態】
以下、本発明の一実施形態を、図面を参照して説明する。
【００１０】
１．機器構成この情報収集システムＳは、トイレ装置１を使用した個々の使用者に応じた便座本体１Ａに関する形態情報をセンタ装置Ｐ３に集約するためのシステムＳである。図１は、この実施の形態における便座本体１Ａに関する情報を収集する情報収集システムＳを示した構成図である。
【００１１】
図１において、Ｐ１は、トイレ装置１であり、トイレ本体Ｐ１と、このトイレ本体Ｐ１とブルートゥース（登録商標）等の無線ＬＡＮによって通信可能に接続される情報端末装置Ｐ２とにより構成される。
【００１２】
詳述すると、トイレ本体Ｐ１は、例えばショールームなどに設置されるものであり、便座本体１Ａを有する温水洗浄便座１Ｃと、この温水洗浄便座１Ｃの基台となる便器１Ｂ等から構成されるものである。
【００１３】
そして、実際に使用者が着座した際に身体接触面を形成する便座本体１Ａに、着座者の体圧分布を測定するための体圧分布測定シートを装着している。尚、この体圧分布測定シートは、便座本体１Ａに内蔵してもよい。
【００１４】
この図示しない体圧分布測定シートは、薄くて柔らかい体圧分布センサとして、感圧導電ゴムを用い、制御装置にマイクロコンピュータを利用して、体圧分布模様と接触圧力を測定できるようにしたものである。
【００１５】
また、トイレ本体Ｐ１は、この体圧分布測定シートを用いて測定したデータを送信するために、Ｂｌｕｅｔｏｏｔｈ（登録商標）などの無線通信インタフェースを有している。
【００１６】
情報端末装置Ｐ２は、図２に示すように、室内に設置されるパーソナルコンピュータであり、ＣＰＵ１０１、内部メモリ１０２、ＨＤ等の外部記憶装置１０３、ディスプレイ１０４、モデムや無線通信の通信部を含む、通信インターインターフェース１０５、キーボードなどの入力装置１０６等を有する。尚、その他このパーソナルコンピュータに替えて携帯電話や携帯端末装置を使用しても良い。
【００１７】
Ｐ３は、トイレ装置１から送信されてくる情報を集約するセンタ装置Ｐ３であり、図３に示すように、ＣＰＵ２０１、内部メモリ２０２、ＨＤ等の外部記憶装置２０３、ディスプレイ２０４、モデムや無線通信の通信部を含む、通信インターインターフェース２０５、キーボードなどの入力装置２０６等を有する。
【００１８】
２．概略機能次に各装置の有する機能について図４を用いて詳述する。
【００１９】
トイレ本体Ｐ１は、図２に示すように、着離座検出手段１１と、体圧分布測定手段１２、体圧分布情報送信手段１３等の機能を有している。
【００２０】
着離座検出手段１１は、主として圧力感知センサなどにより構成され、使用者が便座本体１Ａに着座したとき、または離座したタイミングを検出し後述する体圧分布測定手段１２により体圧測定を開始または終了するタイミングを見計らう機能を有するものである。
【００２１】
体圧分布測定手段１２は、使用者が便座本体１Ａに着座した際に便座本体１Ａに係る体圧を測定するためのものである。前記着離座検出手段１１により、使用者が便座本体１Ａ
に着座したことを検出すると、前記体圧分布測定シートに埋め込まれた複数の荷重変換機等により、自動的に測定を開始しその測定値を自動的に蓄積するシステムである。
【００２２】
体圧分布情報送信手段１３は、主としてＢｌｕｅｔｏｏｔｈ（登録商標）などの無線通信インタフェースから構成されており、デジタルデータ化された体圧分布情報を通信インタフェースから情報端末装置Ｐ２へと送信するものである。
【００２３】
情報端末装置Ｐ２は、形態情報受付手段２１と、最適形態算出手段２２、算出情報蓄積手段２３、形態情報送信手段２４としての機能を有するものである。
【００２４】
形態情報受付手段２１は、使用者に応じた最適な便座本体１Ａの形態を算出するために必要な情報を受け付けるための機能を有するもので、主としてキーボード等の入力手段から、使用者の身長や体重などの個人身体情報や、使用感などの嗜好情報を受け付けるものである。また、前記体圧分布情報送信手段１２により送信されてきた体圧分布情報を受信する受信手段としても機能するものである。尚、使用者を識別するために使用者の識別子などの使用者情報も受け付ける。
【００２５】
最適形態算出手段２２は、ＣＰＵが所定のプログラムによって算出するもので、前記形態情報受付手段２１により得られる情報を基に、その使用者に最適の便座本体１Ａの形態を算出する機能を有している。
【００２６】
算出情報蓄積手段２３は、前記最適形態算出手段２２を用いて最適形態を算出するために使用する計算式や、過去の算出情報、プログラム等を各種領域に分けて格納するものである。
【００２７】
形態情報送信手段２４は、形態情報受付手段２１や、最適形態算出手段２２から得られた形態情報を、センタ装置Ｐ３に送信するためのもので、主として通信インターフェース１０５を用いてインターネット等のネットワークに接続しセンタ装置Ｐ３と通信可能とするためのものである。
【００２８】
センタ装置Ｐ３は、形態情報受信手段３１と、形態情報蓄積手段３２と、使用者情報出力手段３３と、表示部３４としての機能を有するものである。
【００２９】
形態情報受信手段３１は、前記情報端末装置Ｐ２から送信されてきた形態情報を受信するためのもので、通信インターフェース２０５等により構成される。
【００３０】
形態情報蓄積手段３２は、前記形態情報受信手段３１により受信した形態情報を、その送信元である使用者情報と関連づけて蓄積するためのものである。具体的には、使用者識別子と使用者の名前、住所、電話番号、その使用者が送信してきた形態情報、送信日等を関連づけて蓄積している。
【００３１】
使用者情報出力手段３３は、所定の日時が来ると、ある一定の法則、例えば形態情報を送信してきた使用者であること等の条件に合致する使用者の情報を出力する。ここで、出力とは、ディスプレイ等の表示手段３４に表示するほか、その内容をプリントアウトしたり、他の事業者等の情報端末装置Ｐ４に送信する場合を含むものである。
【００３２】
表示手段３４は、液晶やＣＲＴ等の各種ディスプレイ２０４が使用される。この表示手段３４には、表示制御信号を受信することにより各種情報が表示される。
【００３３】
３．動作例次に本実施形態の情報提供システムＳの動作例を説明する。
【００３４】
＜第一実施形態＞以下、第一実施形態として、使用者が携帯電話やパーソナルコンピュータなどの情報端末装置Ｐ２を用いて自己の身体情報等を入力し、その入力情報に基づいてトイレ装置１が最適形態を算出する場合について説明する。
【００３５】
図５は、トイレ装置１により行われる処理のメインの流れを表すフローチャートである。また、図６は、センタ装置Ｐ３により行われる処理を表すフローチャートである。
【００３６】
まず、使用者が、情報端末装置Ｐ２を用いて専用のＷＥＢサイトにアクセスすると、情報端末装置Ｐ２は、特定のメニュー画面を表示し（ステップＳ１）、そのメニュー画面の表示に従って使用者情報、つまりＩＤやパスワードなどの使用者情報の入力を受け付ける（ステップＳ２）。
【００３７】
そしてその後、形態情報受付手段２１を用いて、使用者の身長や体重等の身体情報、つまり、使用者に応じた便座本体１Ａの形態を算出するためのデータ入力を受け付ける（ステップＳ３）。
【００３８】
この身体情報を受け付けた情報端末装置Ｐ２は、最適形態算出手段２２を用いて、その入力された身長、体重の数値に応じた最適な便座本体１Ａの幅寸法Ｗ等を決定する（ステップＳ４）。例えば、図７に示すように、便座本体１Ａの幅寸法Ｗに関する下限値及び上限値を定め、体重の増加及び身長の増加に比して幅寸法Ｗを正比例に増加させる関係とすることが考えられる。このような関係とすることにより、圧力が分散され足がしびれたり痛くなったりすることを回避することができる。
【００３９】
そして最適形態を算出後、情報端末装置Ｐ２は、算出した算出データ、及び、形態情報受付手段２１により受け付けた使用者情報を形態情報としてセンタ装置Ｐ３へ送信する（ステップＳ５）。
【００４０】
一方、使用者が、実際にショールーム内に設置された複数のトイレ本体Ｐ１に着座した後、その使用感や好みの形態等の嗜好情報を情報端末装置Ｐ２を用いて入力した場合には、その嗜好情報も形態情報としてセンタ装置Ｐ３に送信する。
【００４１】
センタ装置Ｐ３は、これらの情報を受信すると（ステップＳ１０１）、その形態情報を送信してきた使用者情報と関連づけて情報を形態情報蓄積手段３２に蓄積する（ステップＳ１０２）。
【００４２】
そして、事業者等は、これらの情報を基に、その使用者に応じた便座本体１Ａを作成または選択して個々の使用者に販売する。
【００４３】
更に、これら形態情報を受信したセンタ装置Ｐ３は、所定の条件に基づいて、使用者情報を出力する（ステップＳ１０３）。つまり、使用者情報出力手段３３を用いて、所定の日時が来ると、ある一定の法則、例えば形態情報を送信してきた使用者のみ等の条件に合致する使用者の情報を出力する。ここで、出力とは、ディスプレイ等の表示部３４に表示するほか、その内容をプリントアウトしたり、他の事業者等の情報処理装置に送信する場合もある。
【００４４】
この使用者情報を直接的または間接的に得た事業等は、その使用者に対してメンテナンスサービス等を行う。
【００４５】
＜第二実施形態＞以下、便座本体１Ａに備えた体圧分布測定手段１２により得られた体
圧分布情報を基に、自動的に使用者に応じた最適形態を算出する場合について説明する。
【００４６】
図８は、そのトイレ装置１のフローチャートを示す図である。
【００４７】
まず、トイレ本体Ｐ１に設けられた着離座検出手段１１により、使用者が便座本体１Ａに着座したことを検出すると（ステップＳ２０１）、図９に示すように、トイレ装置１は、その体圧分布測定手段１２を用いて使用者の便座本体１Ａに係る体圧を測定する（ステップＳ２０２）。
【００４８】
その後、その体圧分布情報に基づいて最適形態情報を算出する（ステップＳ２０３）。具体的には、使用者の大腿部の圧力値Ｐｆつまり、右大腿部の圧力値Ｐｆ１および左大腿部の圧力値Ｐｆ２との平均圧力値を、計算式（Ｐｆ＝Ｐｆ１＋Ｐｆ２／２）に基づいて算出し、その大腿部圧力値Ｐｆに基づいて、便座本体１Ａの幅寸法Ｗを算出する。
【００４９】
図１０は、使用者に応じた便座本体１Ａの幅寸法Ｗと大腿部圧力値Ｐｆとの相関関係を示した図である。詳述すると、便座本体１Ａの幅寸法Ｗに下限値及び上限値を定め、体圧分布の増加に比して幅寸法Ｗを正比例に増加させる関係となっている。このような関係とすることにより、圧力が分散され足がしびれたり痛くなったりすることを回避することができる。図１１は、使用者に応じた幅寸法Ｗを持つ便座本体１Ａを表す図である。
【００５０】
また、図１２に示すように、形態情報である大腿部圧力値Ｐｆに基づいて便座本体１Ａの沈み込み量Ｄをも算出し、図１３に示すように、より最適な便座本体１Ａの形態を決定することもできる。最適な沈み込み量Ｄを決定する際は、沈み込み量Ｄと圧力値Ｐｆとが正比例する関係となるように沈み込み量Ｄを決定する。尚、沈み込み量Ｄには上限値を定めている。
【００５１】
次に、最適形態を算出後、トイレ本体Ｐ１が、使用者が離座したことを検知すると（ステップＳ２０４）、情報端末装置Ｐ２は、第一実施形態と同様に、算出した算出データ、及び、形態情報受付手段２１により受け付けた使用者情報を形態情報としてセンタ装置Ｐ３へ送信する（ステップＳ２０５）。
【００５２】
一方、使用者が、実際にショールーム内に設置された複数のトイレ本体Ｐ１に着座した後、その使用感や好みの形態等の嗜好情報を情報端末装置Ｐ２を用いて入力した場合には、その嗜好情報も形態情報としてセンタ装置Ｐ３に送信する。
【００５３】
センタ装置Ｐ３は、これらの情報を受信すると（ステップＳ１０１）、その形態情報を送信してきた使用者情報と関連づけて情報を形態情報蓄積手段３２に蓄積する（ステップＳ１０２）。
【００５４】
そして、事業者等は、これらの情報を基に、その使用者に応じた便座本体１Ａを作成または選択して個々の使用者に販売する。
【００５５】
更に、これら形態情報を受信したセンタ装置Ｐ３は、所定の条件に基づいて、使用者情報を出力する（ステップＳ１０３）。つまり、使用者情報出力手段３３を用いて、所定の日時が来ると、ある一定の法則、例えば形態情報を送信してきた使用者のみ等の条件に合致する使用者の情報を出力する。ここで、出力とは、ディスプレイ等の表示部３４に表示するほか、その内容をプリントアウトしたり、他の事業者等の情報処理装置に送信する場合もある。
【００５６】
この使用者情報を直接的または間接的に得た事業等は、その使用者に対してメンテナン
スサービス等を行う。
【００５７】
以上のような構成により、使用者は、自己に応じた便座本体１Ａを購入前に的確に判断することができ、当初より最適な便座本体１Ａを購入することができる。更に、使用者に応じた便座本体１Ａの形態情報を集約することができるため、使用者に応じた形態を有する新製品の開発も容易になる。
【００５８】
また、形態情報に着座者がショールーム等で便座本体１Ａを体験使用して判断した便座本体１Ａの形態に関する嗜好情報を含むことにより、より最適な形態を有する便座本体１Ａを提供することができる。
【００５９】
更に、トイレ装置１が、使用者が便座本体１Ａに着座した際の体圧分布を測定する体圧分布測定ステップと、前記体圧分布情報に基づいて形態情報を算出する算出ステップとを具備することで、自動的に最適な便座本体１Ａに関する形態情報を入手できる。
【００６０】
加えて、形態情報を送信した使用者に関する使用者情報を、トイレ装置１に関するメンテナンスサービス等のサービスを提供する事業者等に対して間接的または直接的に出力することにより、使用者が、形態情報を送信する代わりにメンテナンスサービス等を受けられるなどの付加価値を付けることで、使用者が形態情報を送信するモチベーションを高めることができる。
【００６１】
なお、本発明における構成は、以上説明したものに限定されないのは勿論である。例えば、本実施形態においては、形態情報として便座本体１Ａの幅寸法Ｗや沈み込み量Ｄなどの形状を算出していたが、便座本体１Ａの硬度など他の形態要素を算出できるようにしても良い。また、本実施形態においては、最適な形態情報をトイレ装置１側にて算出していたが、センタ装置Ｐ３側にて算出する構成としても良い。その他の構成も本発明の趣旨を逸脱しない範囲で種々変形が可能である。
【００６２】
【発明の効果】
本発明は、以上説明したような構成で実施され以下に記載されるような効果を奏する。
【００６３】
すなわち、本発明は、便座本体を有するトイレ装置と、このトイレ装置と通信可能に接続されたセンタ装置とを具備する情報収集方法であって、前記トイレ装置が、使用者に応じた便座本体の形態を算出するためのデータ入力を受け付ける形態情報受付ステップと、前記データに基づき使用者に応じた便座本体の寸法を算出する最適形態算出ステップと、前記データ及び前記便座本体の寸法を形態情報として、通信回線を介してセンタ装置に送信する形態情報送信ステップとを具備し、前記センタ装置が、トイレ装置から送信された形態情報を受信する形態情報受信ステップと、前記形態情報受信ステップにより受信した形態情報を蓄積する形態情報蓄積ステップとを備えたことを特徴とする。
【００６４】
これにより、使用者に応じた便座本体を購入前に的確に判断することができ、使用者は当初より最適な便座本体を購入することができる。更に、使用者に応じた便座本体の形態情報を集約することができるため、使用者に応じた形態を有する新製品の開発も容易になる。
【図面の簡単な説明】
【図１】  本発明の一実施形態を示す概略図
【図２】  同実施形態における情報端末装置の概略的な機器構成図
【図３】  同実施形態におけるセンタ装置の概略的な機器構成図
【図４】  同実施形態における機能構成ブロック図
【図５】  第一実施形態における情報端末装置の動作フローチャート
【図６】  同実施形態におけるセンタ装置の動作フローチャート
【図７】  同実施形態における身長及び体重と便座本体の幅との相関図
【図８】  第二実施形態におけるトイレ装置の動作フローチャート
【図９】  同実施形態における体圧分布を表す図
【図１０】  同実施形態における便座本体の幅と大腿部圧力値との相関図
【図１１】  同実施形態における便座本体の幅と大腿部圧力値との関係における最適形態を表す図
【図１２】  同実施形態における便座本体の沈み込み量と大腿部圧力値との相関図
【図１３】  同実施形態における沈み込み量と大腿部圧力値との関係における最適形態を表す図
【符号の説明】
１・・・トイレ装置
１Ａ・・・便座本体
１２・・・体圧分布測定手段
２１・・・形態情報受付手段
２４・・・形態情報送信手段
２２・・・算出手段（最適形態算出手段）
３１・・・形態情報受信手段
３２・・・形態情報蓄積手段
３３・・・使用者情報出力手段
Ｐ３・・・センタ装置
Ｓ・・・情報収集システム
【図１】
0003812465.tif 000002
【図２】
0003812465.tif 000003
【図３】
0003812465.tif 000004
【図４】
0003812465.tif 000005
【図５】
0003812465.tif 000006
【図６】
0003812465.tif 000007
【図７】
0003812465.tif 000008
【図８】
0003812465.tif 000009
【図９】
0003812465.tif 000010
【図１０】
0003812465.tif 000011
【図１１】
0003812465.tif 000012
【図１２】
0003812465.tif 000013
【図１３】
0003812465.tif 000014